(57)【特許請求の範囲】
【請求項１】
装置本体と、その装置本体の上に着脱可能に取り付ける読取装置と、前記装置本体を上に着脱可能に取り付ける給紙装置とを備えてなり、
前記装置本体に、排紙スタック部を設けるための空洞を形成し、その空洞を隔てて頂部に支持板を備えるとともに、
その支持板の上に前記読取装置を着脱可能に取付ける、画像形成装置。
【請求項２】
前記装置本体と前記読取装置と前記給紙装置に、それぞれを持ち上げるときの手掛け部を設けてなる、請求項１に記載の画像形成装置。
【請求項３】
前記装置本体と前記読取装置との間もしくは前記装置本体と前記給紙装置との間およびそれら双方の間の係合部分に取り付けて係合外れを防止するスナップ止め部材を備える、請求項１に記載の画像形成装置。
【請求項４】
前記装置本体と前記読取装置との間もしくは前記装置本体と前記給紙装置との間およびそれら双方の間でピンと穴を係合し、その穴を通過した前記ピンの外周に設ける円周溝に、前記スナップ止め部材を着脱自在に取り付けてなる、請求項３に記載の画像形成装置。
【発明の詳細な説明】
【０００１】
【発明の属する技術分野】
この発明は、たとえば複写機やファクシミリやそれらの複合機など、用紙に画像を記録する画像形成装置に関する。その中でも特に、装置本体の上に読取装置を備え、下に給紙装置を備える比較的大型の画像形成装置に関する。
【０００２】
【従来の技術】
従来、この種の画像形成装置は、そのように装置本体の上に原稿の画像を読み取る読取装置を設け、下に装置本体内の記録部へ用紙を送り込む給紙装置を設け、それら装置本体と読取装置と給紙装置を容易に分離できないように一体に取り付けて構成していた。
【０００３】
【発明が解決しようとする課題】
ところで、従来、そのような画像形成装置を、ユーザのもとに搬入して設置したり（初期設置時）、その後に設置場所を変更したりするとき（設置場所変更時）に、通路が、たとえば階段などの足場の悪いところだと、全体を手で持ち上げて運ぶ必要がある。ところが、上述のような従来の一体型の画像形成装置は、重くて大型であるため、持ち運びが大変で比較的多くの労力が必要になるという問題があった。
【０００４】
【課題を解決するための手段】
そこで、請求項１に記載の発明は、たとえば以下に図面を用いて説明する実施の形態のように、装置本体１２と、その装置本体１２の上に着脱可能に取り付ける読取装置１３と、前記装置本体１２を上に着脱可能に取り付ける給紙装置１１とを備えてなり、
前記装置本体１２に、排紙スタック部２７を設けるための空洞を形成し、その空洞を隔てて頂部に支持板４１を備えるとともに、
その支持板４１の上に前記読取装置１３を着脱可能に取付ける、ことを特徴とする。
【０００５】
そして、初期設置時または設置場所変更時は、画像形成装置を、装置本体１２と読取装置１３と給紙装置１１とに分離して個別に持ち運ぶ。
【０００６】
請求項２に記載の発明は、請求項１に記載の画像形成装置において、たとえば以下に図面を用いて説明する実施の形態のように、前記装置本体１２と前記読取装置１３と前記給紙装置１１に、それぞれを持ち上げるときの手掛け部２９・３５・２１を設けてなる、ことを特徴とする。
【０００７】
そして、装置本体１２と読取装置１３と給紙装置１１を運ぶときは、それぞれ手掛け部２９・３５・２１に手を掛けて持ち上げる。
【０００８】
請求項３に記載の発明は、請求項１に記載の画像形成装置において、たとえば以下に図面を用いて説明する実施の形態のように、前記装置本体１２と前記読取装置１３との間もしくは前記装置本体１２と前記給紙装置１１との間およびそれら双方の間の係合部分に取り付けて係合外れを防止するスナップ止め部材４０を備える、ことを特徴とする。
【０００９】
そして、装置本体１２への読取装置１３または給紙装置１１の取付時は、それらの係合部分に各々スナップ止め部材４０を取り付けて係合外れを防止する。
【００１０】
請求項４に記載の発明は、請求項３に記載の画像形成装置において、たとえば以下に図面を用いて説明する実施の形態のように、前記装置本体１２と前記読取装置１３との間もしくは前記装置本体１２と前記給紙装置１１との間およびそれら双方の間でピン２０と穴２５を係合し、その穴２５を通過した前記ピン２０の外周に設ける円周溝２０ａに、前記スナップ止め部材４０を着脱自在に取り付けてなる、ことを特徴とする。
【００１１】
そして、装置本体１２への読取装置１３または給紙装置１１の取付時は、ピン２０と穴２５を係合し、その穴２５を通過したピン２０の円周溝２０ａにスナップ止め部材４０を取り付けて係合外れを防止する。
【００１２】
【発明の実施の形態】
以下、図面を参照しつつ、この発明の実施の形態について説明する。
図２は、この発明による画像形成装置の一例である複写機の斜視図である。
【００１３】
図示複写機は、給紙バンク１０上に、下から順に給紙装置１１と装置本体１２と読取装置１３を重ねて載置し、それらを相互に着脱可能に取り付けて構成してなる。
【００１４】
給紙バンク１０は、正面に、給紙カセット１４・１４を手前側に引き出し自在に上下二段に設けてなる。そして、図示省略するが、底面の四隅には、キャスタを取り付け、頂面上には、その前後の左右中央に位置決めピンを立ててなる。
【００１５】
給紙装置１１は、正面に、図１に示すように、給紙カセット１７・１７を手前側に引き出し自在に上下二段に設けてなる。底面には、その前後の左右中央に、給紙バンク１０の上記位置決めピンを係合する位置決め穴を設けてなる。一方、頂面には、その前後の左右中央に、位置決め用のピン１５を立て、四隅に、外周に円周溝２０ａを有する取付用のピン２０を立ててなる。左右側面には、その上側中央に凹状の手掛け部２１を設けるとともに、下側前後にレバー状の把手２２を引き出し自在に取り付けて収納してなる。
【００１６】
装置本体１２は、正面を着脱自在の前カバー２４で被い、内部に用紙に記録を行う不図示の記録部を設けてなる。そして、その記録部の上側に正面を開放した空洞を形成し、そこに記録済み用紙を排紙トレイ２６上にスタックする排紙スタック部２７を設けてなる。
【００１７】
また、装置本体１２は、その底面における前後の左右中央に、給紙装置１１の位置決めピン１５を係合する不図示の位置決め穴を設ける。底面の四隅には、それぞれ溝付ピン２０を係合する、図５に示すような取付用の穴２５を設けてなる。一方、頂面には、図１に示すように、四隅に位置決め用の円形凹部２８を設けるとともに、左右側縁中央に取付用の溝付ピン２０を立ててなる。
【００１８】
さらに、前後両面には、その下縁に凹状の手掛け部２９を設けてなる。左右側面には、それぞれ後側の上記取付用穴２５と対応して点線で示す小窓２３を設けてなる。そして、常時は、その小窓２３に矩形板状の蓋１９を嵌め付けて小窓２３を塞いである。
【００１９】
読取装置１３は、内部に原稿を読み取る不図示の光学読取部を設けるとともに、正面に操作パネル３１を上向きに設け、頂部に読取原稿をセットする原稿トレイ３２、および排出する読取済み原稿をスタックする排出スタック部３３を設けてなる。
【００２０】
底面の四隅には、位置決め用の凸部３４を設け、その底面における左右の前後中央には、装置本体１２の溝付ピン２０を係合する後述の取付用穴２５を設けてなる。そして、左右側面には、それら取付用穴２５と対応して横長な開口を設け、そこに手掛け部３５を形成する。一方、手掛け部３５の奥側は、図３に示すように、常時は矩形板状の蓋３７を取り付けて塞いである。
【００２１】
なお、図示画像形成装置には、図１および図２に示すように、上述した手掛け部２１・２９・３５の上側に、それぞれの位置が判るように印３８を設けてなる。それら印３８は、たとえば細長い２本の、図４に示すような凸状部３８ａで形成してなる。
【００２２】
さて、図示画像形成装置を、たとえばサービスマンが搬入してユーザのオフィス等に設置するとき（初期設置時）や、その後に設置場所を変更するとき（設置場所変更時）は、図１に示すように、装置本体１２と給紙装置１１と読取装置１３と給紙バンク１０（図１では省略）の４つに分離して個別に持ち運ぶ。
【００２３】
それらを持ち運ぶとき、装置本体１２は、その側面側から手掛け部２９に手を掛けて持ち上げる。給紙装置１１は、その正面側から手掛け部２１に手を掛けて持ち上げる。読取装置１３も、その正面側から手掛け部３５に手を掛けて持ち上げる。なお、給紙バンク１０は、キャスタを用いて移動できないときには、たとえば正面側から左右側面の下縁に手を掛けて持ち運ぶ。
【００２４】
そして、たとえばオフィス内の所定位置に設置するときは、給紙バンク１０を運んで床の上に置いてから、給紙装置１１を持ち運び、給紙バンク１０の上に載せる。そうして、給紙装置１１の位置決め穴に給紙バンク１０の位置決めピンを係合し、給紙装置１１を位置決めする。
【００２５】
それから、装置本体１２を運んで給紙装置１１の上に載せる。そのときは、予め、装置本体１２の前カバー２４を外して正面を開放するとともに、蓋１９を外して側面の小窓２３を開放する。そして、図５に示すように、四隅の取付用の穴２５を外部に臨ませた状態で、装置本体１２を降ろし、図６に示すように、給紙装置１１の上に載せて取付用の穴２５にピン２０をそれぞれ係合するとともに、図示しないが、位置決め穴に給紙装置１１の位置決めピン１５を係合して装置本体１２を位置決めする。
【００２６】
位置決め後、その装置本体１２の図６に示す正面開口１２ａと、図７に示すように開放した側面の小窓２３から、図８に示すスナップ止め部材４０を用いてピン２０と穴２５の係合外れを防止する。スナップ止め部材４０は、図９でも示すように、矩形板状の摘み部４０ａから二股に伸ばして弾性湾曲部４０ｂを設けてなる。
【００２７】
そして、スナップ止め部材４０の弾性湾曲部４０ｂを押し開いて、穴２５の上側でピン２０の円周溝２０ａに嵌め込み、図１０中矢示するように回して摘み部４０ａ側が手前に出っ張らないようにスナップ止め部材４０を後向きにする。このスナップ止め部材４０の取付後、前カバー２４を取り付けて装置本体１２の正面を閉じ、蓋１９を取り付けて側面の小窓２３を塞ぐ。
【００２８】
それから、読取装置１３を運んで装置本体１２の上に載せる。その場合も同様に、予め、読取装置１３の側面の蓋３７を外し、図１１に示すように、手掛け部３５の奥側で小窓３９を開けて取付用の穴２５を外部に臨ませてから、読取装置１３を降ろして装置本体１２の上に載せる。そして、取付用の穴２５にピン２０をそれぞれ係合するとともに、位置決め凹部２８に位置決め凸部３４を嵌め合わせて読取装置１３を位置決めする。
【００２９】
位置決め後、手掛け部３５から、ピン２０の円周溝２０ａに、上述したと同様にスナップ止め部材４０を取り付けて係合外れを防止する。そして、スナップ止め部材４０の取付後、蓋３７を取り付けて小窓３９を塞ぐ。
【００３０】
さて、その後に、たとえば設置場所を変更するために、図示画像形成装置を上記装置１０〜１３に分離するときは、上述した前カバー２４を外して装置本体１２の正面を開放し、また、蓋１９・３７を外して小窓２３・３９を開けてから、各々の装置内でスナップ止め部材４０をピン２０から取り外す。そうして、最上位の読取装置１３から、順にそれぞれ持ち上げて穴２５とピン２０の係合を外せばよい。
【００３１】
なお、仮に、足場のよい広い通路を通って図示画像形成装置を移動させるような場合は、給紙装置１１と装置本体１２と読取装置１３の３つを分離しないで、そのまま持ち運ぶようにしてもよい。そのときは、たとえば図２中鎖線で示すように、給紙装置１１からレバー状把手２２を引き出し、それら把手２２を持って運ぶ。
【００３２】
【発明の効果】
したがって、この発明によれば、初期設置時または設置場所変更時は、画像形成装置を、装置本体と読取装置と給紙装置とに分離して個別に持ち運べるようにするから、画像形成装置を、比較的少ない労力で簡単に且つ安全に運搬することができる。
【００３３】
請求項２に記載の発明によれば、加えて、それら装置本体と読取装置と給紙装置に、それぞれを持ち上げるときの手掛け部を設けることから、それら装置を容易に持ち上げて運搬しやすくすることができる。
【００３４】
請求項３および４に記載の発明によれば、加えて、スナップ止め部材を備え、そのスナップ止め部材を、装置本体と読取装置または給紙装置などの係合部分に取り付けて係合外れを防止する構成とするから、ドライバ等の工具を必要としないで、それら装置の取付・分離作業を簡単に行うことができる。
【図面の簡単な説明】
【図１】この発明による複写機を、装置本体と読取装置と給紙装置とに分離して示す斜視図である。
【図２】その複写機を使用状態において示す斜視図である。
【図３】その複写機に備える読取装置の手掛け部およびその手掛け位置の印を示す斜視図である。
【図４】その印の形状を示す縦断面図である。
【図５】上記複写機の給紙装置と、その上に載せる状態の装置本体を示す部分斜視図である。
【図６】その給紙装置とその上に載せた状態の装置本体を示す部分斜視図である。
【図７】蓋を外して小窓をあけた状態の装置本体の部分斜視図である。
【図８】その装置本体の取付用の穴に係合したピンにスナップ止め部材を取り付ける状態を示す縦断面図である。
【図９】そのスナップ止め部材の斜視図である。
【図１０】そのスナップ止め部材を取り付けた後の装置本体を、斜め前方から見て示す部分斜視図である。
【図１１】その装置本体と、その上に載せる状態の読取装置を示す部分斜視図である。
【符号の説明】
１１              給紙装置
１２              装置本体
１３              読取装置
２０              ピン
２０ａ            円周溝
２１・２９・３５  手掛け部
２５              穴
２７ 排紙スタック部
４０              スナップ止め部材
４１ 支持板
【図１】
0003606723.tif 000002
【図２】
0003606723.tif 000003
【図３】
0003606723.tif 000004
【図４】
0003606723.tif 000005
【図５】
0003606723.tif 000006
【図６】
0003606723.tif 000007
【図７】
0003606723.tif 000008
【図８】
0003606723.tif 000009
【図９】
0003606723.tif 000010
【図１０】
0003606723.tif 000011
【図１１】
0003606723.tif 000012